(57)【要約】【課題】組み立てが容易で、底抜けのおそれもない多角形包装箱を提供する。【解決手段】対向する側面板１とその両側端から延びる斜面板２とを連設して周壁を形成し、各側面板１の下端から底面板５を延出した多角形包装箱において、斜面板２と底面板５とを折込片８を介して繋ぎ、折込片８に側面板１と斜面板２のなす角部から斜め方向に谷折線９を入れて、その一側を斜面板２に貼着し、底面板５を上方へ折り曲げて折込片８を伸ばした扁平な折畳状態から、底面板５を水平方向に戻すと、折込片８が谷折線９沿いに二つ折りされて、使用状態に組み立てられるようにする。【選択図】図４
2008254813.tif 000002
【特許請求の範囲】
【請求項１】
対向する側面板(1)とその両側端から延びる斜面板(2)とを連設して周壁を形成し、各側面板(1)の下端から底面板(5)を延出した多角形包装箱において、
斜面板(2)と底面板(5)とを折込片(8)を介して繋ぎ、折込片(8)に側面板(1)と斜面板(2)のなす角部から斜め方向に谷折線(9)を入れて、その一側を斜面板(2)に貼着し、底面板(5)を上方へ折り曲げて折込片(8)を伸ばした扁平な折畳状態から、底面板(5)を水平方向に戻すと、折込片(8)が谷折線(9)沿いに二つ折りされて、使用状態に組み立てられるようにしたことを特徴とする多角形包装箱。
【請求項２】
請求項１に記載の多角形包装箱において、対向する側面板(1)から延びる底面板(5)の先端に突合片(6)を連設し、突合片(6)同士を底面の中央部で突き合わせて貼り付けたことを特徴とする多角形包装箱。
【請求項３】
請求項１に記載の多角形包装箱において、対向する側面板(1)から延びる底面板(5)の先端に互い違いに延長片(5a)を設け、延長片(5a)が相手側の底面板(5)に重なって底面板(5)同士が噛み合うようにしたことを特徴とする多角形包装箱。
【請求項４】
請求項２又は３に記載の多角形包装箱において、底面板(5)に中折線(7)を入れ、折畳状態から使用状態に組み立てる際、底面板(5)が中折線(7)に沿って一旦折れ曲がった後、復元するようにしたことを特徴とする多角形包装箱。
【発明の詳細な説明】
【技術分野】
【０００１】
この発明は、八角形等のコーナーに斜面を有する多角形包装箱に関するものである。
【背景技術】
【０００２】
従来、下記特許文献１には、図８に天地を逆にして示すように、対向する側面板５１とその両側端から延びる斜面板５２とを端面板５３を介して連設することにより周壁を形成し、各側面板５１の上下端から底面板５４及び天面板５５を、各端面板５３の上下端から底端板５６及び天端板５７をそれぞれ延出すると共に、斜面板５２と底端板５６及び天端板５７とを折込片５８を介して繋ぎ、折込片５８に、端面板５３と斜面板５２とのなす角部から斜め方向に谷折線５９を入れた八角形の包装箱が記載されている。
【０００３】
この包装箱は、天面及び底面を開いて周壁を潰した扁平な折畳状態で保管しておき、使用する際には、各斜面板５２と側面板５１及び端面板５３との境界を４５°の角度で折り曲げることにより、周壁を八角筒状に形成する。
【０００４】
そして、図示のように天地が逆転した状態で、底面板５４及び底端板５６を順次閉じて係合させ、底面を閉止した後、天地を正転させ、箱内に内容物を収納し、天面板５５及び天端板５７を順次閉じて封緘する。このとき、折込片５８は、谷折線５９沿いに二つ折りにされて折り込まれる。
【０００５】
【特許文献１】特開２０００−３２６９５４号公報
【発明の開示】
【発明が解決しようとする課題】
【０００６】
しかしながら、上記のような包装箱は、組み立てに際し、天地を逆にして底面を閉じる必要があり、また、底面を閉じるまで周壁の形状が定まらず、組み立てにくいという問題があるほか、使用時に底抜けするおそれがあるという問題もある。
【０００７】
そこで、この発明は、組み立てが容易で、底抜けのおそれもない多角形包装箱を提供することを課題とする。
【課題を解決するための手段】
【０００８】
上記のような課題を解決するため、この発明は、対向する側面板とその両側端から延びる斜面板とを連設して周壁を形成し、各側面板の下端から底面板を延出した多角形包装箱において、斜面板と底面板とを折込片を介して繋ぎ、折込片に側面板と斜面板のなす角部から斜め方向に谷折線を入れて、その一側を斜面板に貼着し、底面板を上方へ折り曲げて折込片を伸ばした扁平な折畳状態から、底面板を水平方向に戻すと、折込片が谷折線沿いに二つ折りされて、使用状態に組み立てられるようにしたのである。
【０００９】
また、対向する側面板から延びる底面板の先端に突合片を連設し、突合片同士を底面の中央部で突き合わせて貼り付けたのである。
【００１０】
また、突合片に替えて、対向する側面板から延びる底面板の先端に互い違いに延長片を設け、延長片が相手側の底面板に重なって底面板同士が噛み合うようにしたのである。
【００１１】
さらに、底面板に中折線を入れ、折畳状態から使用状態に組み立てる際、底面板が中折線に沿って一旦折れ曲がった後、復元するようにしたのである。
【発明の効果】
【００１２】
この発明に係る多角形包装箱では、扁平な折畳状態から組み立てる際、上方へ折り曲げられていた底面板を水平方向へ戻すだけで、天地を逆にする必要がなく、周壁の形状も折込片により定まるので、容易に組み立てることができる。
【００１３】
また、底面板の先端の突合片同士を貼り合わせ、或いは、底面板の先端の延長片を相手方の底面板に重ねて底面板同士を噛み合わせると、使用時の底抜けが防止される。
【００１４】
さらに、底面板に中折線を入れることにより、組み立て時に無理な力が作用して折込片が破れるのを防止でき、組立性が向上する。
【発明を実施するための最良の形態】
【００１５】
以下、この発明の実施形態を添付図面に基づいて説明する。
【００１６】
図１に示すように、この包装箱は、コーナー部が斜めに切られた八角形の段ボール箱であり、図２に示すように、ビール等の缶Ｃが２２本詰められるものである。
【００１７】
この包装箱のブランクでは、図５に示すように、一対の側面板１の両側にそれぞれ斜面板２が連設され、中央の斜面板２同士が端面板３で繋がれると共に、一端の斜面板２に端面板３が連設され、他端の斜面板２に継代片４が連設されている。
【００１８】
各側面板１の下端には、両側に傾斜縁を有する底面板５及び突合片６が順次連設され、底面板５には、横方向に折目と切目が断続するリード罫の中折線７が入れられている。
【００１９】
斜面板２の下端と底面板５の両側の傾斜縁とは、折込片８を介して繋がれ、折込片８には、側面板１と斜面板２のなす角部から斜め方向に谷折線９が入れられている。また、折込片８には、斜面板２への貼着面積を増加させるためのＬ字状切込１０が入れられると共に、折込を容易にする逃穴１１が角部に設けられている。
【００２０】
各側面板１の上端には、両側に傾斜縁を有する天面板１２及び差込片１３が順次連設され、各端面板３の上端には、両側に傾斜縁を有する天端板１４が連設されている。天端板１４には、先端からＶ字状スリットの差込溝１５が設けられ、その谷から端面板３にかけて折畳線１６が入れられている。
【００２１】
また、各天面板１２には、差込片１３との境界中央部に、コ字状にミシン目を入れて、開封時に指を入れる押込片１７が形成されている。
【００２２】
上記のようなブランクから包装箱を製造する際には、継代片４の表面の糊付部ａと、一方の突合片６の表面の糊付部ｂと、各折込片８の裏面の糊付部ｃとに糊を塗布する。
【００２３】
そして、図３に示すように、ブランクを２本の折畳線１６沿いに折り重ねて、継代片４を反対側の端面板３の裏面に貼り付けると共に、対向する側面板１から底面板５を上方へ折り曲げ、突合片６同士を貼り合わせ、また、折込片８の谷折線９より斜面板２側の部分を、斜面板２の裏面に貼り付ける。
【００２４】
このように扁平に折り畳んだ状態では、嵩張ることがないので、効率よく輸送・保管を行うことができる。
【００２５】
一方、この包装箱を使用する際には、図４に示すように、折畳線１６での折り曲げを戻しつつ、底面板５を水平方向に戻すと、折込片８が谷折線９沿いに二つ折りされて、使用状態に組み立てられる
【００２６】
このとき、天地を逆にする必要がなく、周壁形状も折込片８により定まるので、容易に組み立てることができる。また、底面板５が中折線７に沿って一旦折れ曲がった後、復元するので、折込片８に無理な力が作用せず、折込片８が破れるのを防止できる。
【００２７】
そして、底面板５に缶Ｃを並べて載置すると、突合片６同士が貼り合わされ、折込片８が斜面板２に貼り付けられていることにより、底面板５の下方への揺動が阻止され、底抜けが防止される。また、突合片６が仕切となって、缶Ｃの移動を阻止すると共に、突合片６がリブとなって、缶Ｃの荷重による底面板５の撓みが防止される。
【００２８】
その後、図１に示すように、天端板１４及び天面板１２を順次閉じ、差込片１３を差込溝１５に差し込んで封緘すると、直方体の通常の包装箱よりもコンパクトに包装でき、持ち運びやすいものとなり、段ボールの使用面積も少なく、包装コストを削減できる。
【００２９】
なお、上記実施形態では、八角形の包装箱を例示したが、収納する内容物の数量や形状によっては、端面板３を省略して、六角形の包装箱としてもよく、周壁に多数の縦罫線を入れて、八角形より多角の包装箱としてもよい。
【００３０】
また、底面の閉止に際しては、突合片６同士を貼り合わせたが、これに替えて、図６及び図７に示すような構成としてもよい。
【００３１】
この包装箱は、図７に示すブランクから成り、一対の底面板５の先端片側に延長片５ａが設けられ、図６に示すように、組み立てに際し、上方へ折り曲げられていた底面板５を水平方向へ戻したとき、延長片５ａが相手側の底面板５に重なって、底面板５同士が噛み合い、底抜けが防止されるものである。
【００３２】
このような包装箱では、底部の糊貼箇所が少なくなり、従来の製造装置を改造する必要がなくなるので、コストの低減を図ることができる。
【００３３】
また、この実施形態のように、天面板１２の傾斜縁に折曲片１２ａを連設しておき、組立時に、折曲片１２ａを下方へ折り曲げて斜面板２の内面に沿わせるようにすると、箱内への塵埃の侵入を防止することができる。
【図面の簡単な説明】
【００３４】
【図１】この発明の第１実施形態に係る八角形包装箱の使用状態を示す斜視図
【図２】同上の缶の収納状態を示す横断平面図
【図３】同上の包装箱の折畳状態を示す斜視図
【図４】同上の包装箱の組立過程を示す斜視図
【図５】同上の包装箱のブランクを示す図
【図６】この発明の第２実施形態に係る八角形包装箱の使用状態を示す斜視図
【図７】同上の包装箱のブランクを示す図
【図８】従来の包装箱の組立過程を示す斜視図
【符号の説明】
【００３５】
１  側面板
２  斜面板
３  端面板
４  継代片
５  底面板
５ａ  延長片
６  突合片
７  中折線
８  折込片
９  谷折線
１０  切込
１１  逃穴
１２  天面板
１２ａ  折曲片
１３  差込片
１４  天端板
１５  差込溝
１６  折畳線
１７  押込片
【図１】
2008254813.tif 000003
【図２】
2008254813.tif 000004
【図３】
2008254813.tif 000005
【図４】
2008254813.tif 000006
【図５】
2008254813.tif 000007
【図６】
2008254813.tif 000008
【図７】
2008254813.tif 000009
【図８】
2008254813.tif 000010